(57)【特許請求の範囲】
【請求項１】
コップと連結して用いられる蓋組立体であって、該蓋組立体が、
対応するコップの頂部開口を少なくとも部分的に覆うために、前記対応するコップに取付けられるように構成されているカバーを具え、該カバーが柔軟且つ可撓性材料で形成され、一体成形された飲み口、及び一体成形されたキャップマウントを具え
前記蓋組立体が前記カバーに対して枢軸のまわりを枢動するように、前記キャップマウントに連結するように構成されるキャップを具え、該キャップが、該キャップを前記キャップマウントに連結した状態において、口の中に受入れられるように前記飲み口にアクセス可能な開位置、及び前記キャップが前記飲み口を覆う閉位置の間を、移動することができ、
前記対応するコップと連結されるように構成された保持部材を具え、該保持部材が前記対応するコップと連結されている場合、前記保持部材が前記対応するコップに対して前記カバーを保持する、
蓋組立体。
【請求項２】
前記カバーが前記飲み口から間隔を置いて配置された通気口を具え、前記キャップが前記キャップマウントに連結され前記閉位置にある場合、前記キャップが前記通気口を覆う、請求項１の蓋組立体。
【請求項３】
前記保持部材が該保持部材の開口を画定する突出部を具え、前記カバーが前記保持部材と連結されている場合に前記カバーが前記突出部と接し、前記開口を覆う、請求項１の蓋組立体。
【請求項４】
前記キャップが前記キャップマウントに連結され閉位置にある場合、前記キャップが前記突出部と係合する顎部を具える、請求項３の蓋組立体。
【請求項５】
前記突出部及び開口が円形であって、前記カバーが前記保持部材と連結されている場合に前記カバーが前記突出部を受入れる円形チャンネルを具える、請求項３の蓋組立体。
【請求項６】
前記カバーが、前記保持部材に対して複数の異なる場所に配置された前記飲み口を具える保持部材と連結可能である、請求項１の蓋組立体。
【請求項７】
前記キャップが飲み口覆い部及び下部を具え、前記飲み口覆い部が前記下部から第１方向に延び、前記キャップが前記キャップマウントに連結され閉位置にある場合に前記飲み口覆い部が前記飲み口を覆うように構成されている、請求項１の蓋組立体。
【請求項８】
前記カバーが前記飲み口から間隔を置いて配置された通気口を具え、前記キャップが前記キャップマウントに連結され閉位置にある場合に前記キャップの下部が前記通気口を覆う、請求項７の蓋組立体。
【請求項９】
前記キャップが前記下部から前記第１方向とは反対の第２方向に延びる顎部を具え、該顎部が前記飲み口覆い部に隣接して配置される、請求項７の蓋組立体。
【請求項１０】
前記対応するコップと連結されるように構成された保持部材を具え、該保持部材が前記対応するコップと連結されている場合、前記保持部材が前記対応するコップに対して前記カバーを保持し、前記キャップが前記キャップマウントと連結されていて前記カバーが前記保持部材と連結されていて前記キャップが閉位置にある場合に前記顎部が前記保持部材と係合する、請求項９の蓋組立体。
【請求項１１】
前記キャップが前記下部から延び前記飲み口覆い部とは正反対に位置するアームを具え、該アームが前記キャップマウントと協働するように構成されている、請求項７の蓋組立体。
【請求項１２】
前記キャップが前記アームから延びる軸体を具え、前記キャップマウントが前記キャップに前記キャップマウントを連結するように前記軸体を受入れるように構成されている、請求項１１の蓋組立体。
【請求項１３】
前記キャップマウントが前記軸体を受入れるように構成された開口を具える、請求項１２の蓋組立体。
【請求項１４】
前記キャップマウントが厚肉部を具え、前記キャップが軸体を具え、前記厚肉部が前記キャップを前記カバーに連結するように前記軸体を受入れるように構成されている、請求項１の蓋組立体。
【請求項１５】
前記キャップマウントが凹部を画定するために第１厚肉部及び該第１厚肉部から間隔を置いて配置された第２厚肉部を具え、前記キャップがアーム、該アームから第１の方向に延びる第１軸体、及び前記アームから第２の方向に延びる第２軸体を具え、前記アームが前記凹部に受入れられるように構成され、各前記厚肉部が前記キャップを前記カバーに連結するようにそれぞれの前記軸体を受入れるように構成されている、請求項１４の蓋組立体。
【請求項１６】
各前記厚肉部が前記キャップを前記カバーに連結するようにそれぞれの前記軸体を受入れるように構成されている開口をそれぞれ具える、請求項１５の蓋組立体。
【請求項１７】
前記対応するコップと連結されるように構成された保持部材を具え、該保持部材が前記対応するコップと連結されている場合、前記保持部材が前記対応するコップに対して前記カバーを保持する、請求項１４の蓋組立体。
【請求項１８】
前記カバーの全体が、柔軟且つ可撓性材料で形成されている、請求項１７の蓋組立体。
【発明の詳細な説明】
【技術分野】
【０００１】
子供用のコップには、中身がこぼれるのを防ぐために、着脱可能な蓋が具えられていることがある。これらの蓋は、しばしば上に向かって延びる飲み口を具える。子供はコップから少しずつ飲めるように、口の中に飲み口を入れる。
【背景技術】
【０００２】
子供が口の中に飲み口を入れるので、飲み口を清潔に保つことが望まれる。この種の飲み口にはキャップが設けられてきた。飲み口及び対応するキャップを有する周知のコップにおいては、飲み口を具える蓋と、飲み口に対するキャップの位置とを適切に配置する必要がある。このことは、蓋の組立てを複雑にする。
【発明の概要】
【０００３】
前述に鑑み、対応するコップと連結して用いられる本発明の蓋組立体は、カバー及びキャップを具える。対応するコップの頂部開口を少なくとも部分的に覆うために、カバーは対応するコップに取付けられるように構成される。カバーは、柔軟且つ可撓性材料で形成され、一体成形された飲み口、及び一体成形されたキャップマウントを具える。カバーに対して枢軸のまわりを枢動するために、キャップはキャップマウントに連結するように構成される。キャップをキャップマウントに連結した状態で、口の中に受入れられるように飲み口にアクセス可能な開位置、及びキャップが飲み口を覆う閉位置の間を、キャップは移動することができる。
【図面の簡単な説明】
【０００４】
【図１】図１は蓋組立体を具えるコップの分解図。
【０００５】
【図２】図２はキャップが開位置にある組立てられた状態の蓋組立体の斜視図。
【０００６】
【図３】図３は図１及び２で示されている蓋組立体の断面図。
【０００７】
【図４】図４は図１乃至３で示されている蓋組立体の部分断面図。
【発明を実施するための形態】
【０００８】
図１には保持部材１２、カバー１４及びキャップ１６を具える蓋組立体１０が示されている。蓋組立体１０は中身がこぼれないようにコップ１８と連結される。保持部材１２はコップ１８と連結されるように構成される。カバー１４はコップ１８の頂部開口２０を覆うためにコップ１８に取付けられるように構成される。図示された実施例では、保持部材１２がコップ１８に連結されている場合、保持部材１２がカバー１４をコップ１８に保持する。他の構成では、保持部材１２を必要とすることなく、カバー１４がコップ１８に取付けられてもよい。例えば、柔軟且つ可撓性材料で作られてもよいカバー１４が、頂部開口２０においてコップ１８をパチンと留めることによって、コップ１８の頂部開口２０に直接取付けられてもよい。図２を参照して、枢軸２２の周りをカバー１４に対して枢動するように、キャップ１６はカバー１４と連結される。
【０００９】
図示された実施例の保持部材１２は、剛性プラスチック材で形成される。図３を参照して、保持部材１２は、外面３２と内面３４を有する外壁３０を具える。外壁３０は外面３２が凸上になるように湾曲している。雌ねじ部３６は内面３４から内側に向かって延び、相補関係にあるコップ１８のねじ部４０（図１）と係合して蓋組立体１０をコップ１８に取付けるように構成される。蓋組立体１０は、スナップ式またはバヨネット式（ｂａｙｏｎｅｔ）連結のような他の従来の方法でコップ１８に取付けられてもよい。
【００１０】
保持部材１２はまた、蓋組立体１０とコップ１８の中心軸４２に平行な、外壁３０の内面３４から下に向かって延びる内壁３８を具えている。内壁３８は、平面（すなわち、中心軸４２と直交する面）視で円形である。内壁３８は外壁３０の上部で終端し、外壁３０と内壁３８の間に、図示された実施例では円形の凹部４４を画定する。
【００１１】
保持部材１２はさらに、内壁３８から径方向内側に向かって延びる突出部４６を具える。突出部４６は保持部材１２の開口４８（図１）を画定する。カバー１４は保持部材１２と連結されると突出部４６と接して、開口４８を覆う。図示された実施例の開口４８は、平面視で円形であるが、他の形状であってもよい。
【００１２】
カバー１４は、シリコーンのような柔軟且つ可撓性材料で形成される。カバー１４は保持部材１２及びキャップ１６が作られる材料である比較的可撓性を有する材料で作られる。図示された実施例では、カバー１４は全体が、柔軟且つ可撓性材料で形成されているが、接続、又は連結可能であれば他の異なる材料で形成されてもよい。
【００１３】
図１を再び参照して、カバー１４は、一体成形された飲み口６０及び一体成形されたキャップマウント６２を具える。カバー１４はさらに、図示された実施例では凹状の中央部６４を具える。中央部６４は、平面視で全体として円形である。カバー１４はさらに、飲み口６０から間隔を置いて配置された通気口６６を具える。図示された実施例では、通気口６６は中央部６４に形成された凹部６８に設けられ、コップ１８に向かって下に延びる。図示された実施例の通気口６６は、凹部６８の底の膜（以下通気膜７２と言う。）を通って設けられたスリットである。
【００１４】
カバー１４はさらに、中央部６４の周縁に設けられたチャンネル７４を具える。図示された実施例では、チャンネル７４は、円形であるが、開口４８の形状が円形でない場合は、開口４８の形状に合うような他の形状であってもよい。チャンネル７４は、カバー１４が保持部材１２と連結されている場合に、突出部４６を受入れる。カバー１４は、保持部材１２に対して飲み口６０が複数の異なる場所に配置された状態でも、保持部材１２と連結可能である。言い換えると、飲み口６０は、複数の異なる角度の場所に配置されてもよく、保持部材１２に対して１つの特定の場所に限定されない。
【００１５】
カバー１４はさらに、中央部６４から下に向かって延び、図示された実施例では円形の周縁壁７６を具える。カバー１４はまた、周縁壁７６から径方向外側に向かって延びるガスケット部７８を具える。ガスケット部７８もまた、図示された実施例では円形である。ガスケット部７８は、カバー１４が保持部材１２と連結されている場合に、保持部材１２に設けられた凹部４４に受入れられる。ガスケット部７８は、蓋組立体１０がコップ１８と連結されている場合、蓋組立体１０とコップ１８を密封する。他の構成では、カバー１４がコップ１８と保持部材１２に挟まれてもよい。
【００１６】
飲み口６０は、中央部６４から上に向かって延びる。飲み口６０は、飲むために子供の口に受入れられる形状及び大きさである。飲み口６０は、中央部６４から上に向かって延びる飲み口壁９０を具える。飲み口壁９０は、全体として円筒状（平面視で楕円）である。図示された実施例では、飲み口壁９０は、平面視で楕円である。飲み口６０はさらに飲み口膜９２を具える。飲み口膜９２は、飲み口壁９０から内側に向かって延び、飲み口６０に設けられ飲み口壁９０によって画定される飲料路９４を塞ぐ。飲み口６０に飲料バルブ９８を具えるべく、飲料スリット９６が飲み口膜９２に設けられる。飲料バルブ９８を開いてコップ１８から液体が飲料路９４を通って流れることができる十分な吸引力又は機械的な力が飲み口膜９２に掛けられるまで、飲料バルブ９８は閉じられたままである。力、すなわち、吸引力がなくなると、飲料バルブ９８は閉位置に戻って漏れを防ぐ。
【００１７】
図示された実施例では、飲み口６０は、中心軸４２に対してキャップマウント６２から正反対に位置する。図１を再び参照して、キャップマウント６２は、中央部６４から上に向かって延びる厚肉部を具える（図示された実施例では二つの厚肉部１００及び１０２が設けられている。）。図示されるように、キャップマウント６２は、第１厚肉部１００、及び第１厚肉部から間隔を置いて配置された第２厚肉部１０２を具え、凹部１０４を画定する。各厚肉部１００及び１０２は、それぞれ、開口１１０及び１１２を具える。各厚肉部１００及び１０２はまた、カバー１４が保持部材１２と連結されている場合、保持部材１２の一部を覆って延びる。
【００１８】
キャップ１６がキャップマウント６２に連結されると、キャップ１６は、飲み口６０が人の口の中に受入れられるように飲み口６０にアクセス可能な開位置（図２に例が示されている。）とキャップ１６が飲み口６０を覆う閉位置（図３及び４参照。）の間を移動することができる。図示された実施例のキャップ１６は、剛性プラスチック材で作られている。キャップ１６は、飲み口覆い部１２０及び下部１２２を具える。飲み口６０に対して相補的な形状である飲み口覆い部１２０は下部１２２から第１方向に延び、キャップ１６がキャップマウント６２に連結され閉位置にある場合、飲み口６０を覆うように飲み口覆い部１２０は構成されている。下部１２２は、平面視で全体として円形である。キャップ１６の下部１２２はまた、キャップ１６がキャップマウント６２に連結され閉位置にある場合、（凹部６８だけでなく）通気口６６も覆う。キャップ１６の下部１２２はまた、キャップ１６がキャップマウント６２に連結され閉位置にある場合、カバー１４の中央部６４の少なくとも大部分（及びほぼ全部）を覆う。
【００１９】
キャップ１６はまた、顎部を具える（２つの顎部１２４及び１２６が図示された実施例に示されている）。各顎部１２４及び１２６は第１方向（飲み口覆い部１２０が下部１２２から延びる方向）とは反対の第２方向に下部１２２から延びる。各顎部１２４及び１２６は、飲み口覆い部１２０に隣接して配置される。各顎部１２４及び１２６は、キャップ１６がキャップマウント６２に連結され閉位置にある場合（図４参照。）、突出部４６と係合する。図４を参照して、キャップ１６がキャップマウント６２に連結され閉位置にある場合、顎部１２４（及び顎部１２６）によって、カバー１４の一部が突出部４６からずらされる。上述した通り、各顎部１２４及び１２６は、キャップ１６がキャップマウント６２に連結されていて、カバー１４が保持部材１２と連結され、キャップ１６が閉位置にある場合、保持部材１２と係合する。
【００２０】
キャップ１６は、下部１２２から延び飲み口覆い部１２０とは正反対に位置するアーム１３０を具える。アーム１３０はキャップマウント６２と協働するように構成され、これにより、キャップ１６とキャップマウント６２の連結が容易になる。キャップ１６はまた、アーム１３０から延びる軸体（２本の軸体１３２及び１３４が、図示された実施例に示されている）を具える。キャップ１６をキャップマウント６２に連結するための各軸体１３２及び１３４を受入れるように、キャップマウント６２は構成される。第１軸体１３２はアーム１３０から第１の方向に延び、第２軸体１３４はアーム１３０から第２の方向に延びる。キャップマウント６２は、それぞれの軸体１３２及び１３４を受入れるように各々構成された開口１１０及び１１２を具える。他の実施例では、切欠が各厚肉部１００及び１０２に設けられてもよく、キャップ１６とキャップマウント６２が枢動可能に連結できるようにこれらの切欠が軸体１３２及び１３４を受入れてもよい。キャップ１６がキャップマウント６２に連結されている場合、アーム１３０はキャップマウント６２の凹部１０４に受入れられる。カバー１４の一部として一体成形されたキャップマウント６２を用いることによって、カバー１４が保持部材１２に対してどのような角度で配置されたとしても、キャップ１６は適切に配置され、飲み口６０を覆う。
【００２１】
コップと連結して用いられる蓋組立体についてこれまで詳細に説明してきた。前記の詳細な説明を読み、理解することで、改良及び改変が想起されるであろう。しかしながら、本発明は、上述した実施例に限定されるものではない。本発明の範囲は、むしろ、添付の請求項、及びその均等物によって広く定められるものである。上記の開示、その他の特徴及び機能、すなわち、それらの改変又は変更が望ましく結びつけられて、他の異なる多くのシステム、すなわち、応用例になり得るということが理解されるであろう。また、現時点では思いつかない、若しくは想定外の様々な代替、修正、変更、又は改良が当業者によって後になされるであろうが、それもまた、添付の請求項に含まれることが意図されている。
【図１】
0006804518.tif 000002
【図２】
0006804518.tif 000003
【図３】
0006804518.tif 000004
【図４】
0006804518.tif 000005